(57)【要約】【課題】文字や画像を視認性を損なわずに表示でき、且つ操作性に優れた携帯通信端末を提供する。【解決手段】表示部４は、第１の筐体５の表面上に配置され、複数の操作部２は、第２の筐体３の表面上に配置される。ヒンジ機構６は、第１の筐体５と第２の筐体３とを、閉状態と開状態とに設定可能なように回転自在に連結する。開状態では、表示部４が露出すると共に第１の筐体５が操作部２を覆った状態で第１の筐体５と第２の筐体３とが重なる。閉状態では、第１の筐体５と第２の筐体３とが閉状態から相互にスライド移動した状態となる。角度検出手段は、第１の筐体５と第２の筐体３との角度を検出する。表示方向設定手段は、角度検出手段からの情報に応じて表示部４における表示方向を設定する。【選択図】　図１
2004135118.tif 000002
【特許請求の範囲】
【請求項１】
第１の筐体と、
第２の筐体と、
前記第１の筐体の表面上に配置された表示部と、
前記第２の筐体の表面上に配置された複数の操作部と、
前記表示部が露出すると共に前記第１の筐体が前記操作部の少なくとも一部を覆った状態で前記第１の筐体と前記第２の筐体とが重なる閉状態と、前記第１の筐体と前記第２の筐体とが前記閉状態から相互にスライド移動した開状態とに設定可能に、前記第１の筐体と前記第２の筐体とを回転自在に連結するヒンジ機構と、
前記第１の筐体と前記第２の筐体との角度を検出する角度検出手段と、
前記角度検出手段からの情報に応じて前記表示部における表示方向を設定する表示方向設定手段と、を備えた
ことを特徴とする携帯通信端末。
【請求項２】
請求項１記載の携帯通信端末であって、
前記角度検出手段は、前記閉状態に対する前記第１の筐体と前記第２の筐体との相対回転角度を、前記第１の筐体と前記第２の筐体との角度として検出し、
前記表示方向設定手段は、前記相対回転角度が略９０°であるときの前記表示方向を、前記相対回転角度が略０°又は略１８０°であるときの前記表示方向に対して略９０°回転させた方向に設定する
ことを特徴とする携帯通信端末。
【請求項３】
第１の筐体と、
第２の筐体と、
前記第１の筐体の表面上に配置された表示部と、
前記第２の筐体の表面上に配置された複数の操作部と、
前記表示部が露出すると共に前記第１の筐体が前記操作部の少なくとも一部を覆った状態で前記第１の筐体と前記第２の筐体とが重なる閉状態と、前記第１の筐体と前記第２の筐体とが前記閉状態から相互にスライド移動した開状態とに設定可能に、前記第１の筐体と前記第２の筐体とを回転自在に連結するヒンジ機構と、
前記第１の筐体と前記第２の筐体との角度を検出する角度検出手段と、
前記角度検出手段からの情報に応じて前記操作部に割り当てる機能を設定する機能割当て手段と、を備えた
ことを特徴とする携帯通信端末。
【請求項４】
請求項３記載の携帯通信端末であって、
前記角度検出手段は、前記閉状態に対する前記第１の筐体と前記第２の筐体との相対回転角度を、前記第１の筐体と前記第２の筐体との角度として検出し、
前記機能割当て手段は、前記相対回転角度が略９０°であるときの前記機能の割当てを、前記相対回転角度が略０°又は略１８０°であるときの前記機能の割当てに対して略９０°回転させた方向に設定する
ことを特徴とする携帯通信端末。
【請求項５】
第１の筐体と、
第２の筐体と、
前記第１の筐体の表面上に配置された表示部と、
前記第２の筐体の表面上に配置された複数の操作部と、
前記表示部が露出すると共に前記第１の筐体が前記操作部の少なくとも一部を覆った状態で前記第１の筐体と前記第２の筐体とが重なる閉状態と、前記第１の筐体と前記第２の筐体とが前記閉状態から相互にスライド移動した開状態とに設定可能に、前記第１の筐体と前記第２の筐体とを回転自在に連結するヒンジ機構と、
前記第１の筐体と前記第２の筐体との角度を検出する角度検出手段と、
前記角度検出手段からの情報に応じて、前記表示部における表示方向及び前記操作部に割り当てる機能の少なくとも一方を設定する制御手段と、を備えた
ことを特徴とする携帯通信端末。
【請求項６】
請求項５記載の携帯通信端末であって、
表示優先モードと機能優先モードとを選択的に設定するモード設定手段をさらに備え、
前記制御手段は、前記表示優先モードが設定されているときは、前記角度検出手段からの情報に応じて前記表示部における表示方向を優先的に設定し、前記機能優先モードが設定されているときは、前記角度検出手段からの情報に応じて前記操作部に割り当てる機能を優先的に設定する
ことを特徴とする携帯通信端末。
【請求項７】
請求項５又は請求項６に記載の携帯通信端末であって、
前記角度検出手段は、前記閉状態に対する前記第１の筐体と前記第２の筐体との相対回転角度を、前記第１の筐体と前記第２の筐体との角度として検出し、
前記制御手段は、前記相対回転角度が略９０°であるときの前記表示方向を、前記相対回転角度が略０°又は略１８０°であるときの前記表示方向に対して略９０°回転させた方向に設定する
ことを特徴とする携帯通信端末。
【請求項８】
請求項５〜請求項７の何れかに記載の携帯通信端末であって、
前記角度検出手段は、前記閉状態に対する前記第１の筐体と前記第２の筐体との相対回転角度を、前記第１の筐体と前記第２の筐体との角度として検出し、
前記制御手段は、前記相対回転角度が略９０°であるときの前記機能の割当てを、前記相対回転角度が略０°又は略１８０°であるときの前記機能の割当てに対して略９０°回転させた方向に設定する
ことを特徴とする携帯通信端末。
【請求項９】
請求項１〜請求項８の何れかに記載の携帯通信端末であって、
近距離無線通信によってデータの送信又は受信の少なくとも一方を外部との間で直接行う近距離通信手段をさらに備えた
ことを特徴とする携帯通信端末。
【発明の詳細な説明】
【０００１】
【発明の属する技術分野】
本発明は、２つの筐体が相対にスライド回転移動自在な、いわゆるジャックナイフ型の携帯通信端末に関する。
【０００２】
【従来の技術】
携帯電話機に代表される携帯は、日常生活に浸透するにつれて、その用途も広がってきている。例えば、携帯電話機では、従来の音声通話の機能に加えて、電子メールの送受信機能やインターネットホームページの閲覧機能や、ＧＰＳ（Ｇｌｏｂａｌ　Ｐｏｓｉｔｉｏｎｉｎｇ　Ｓｙｓｔｅｍｓ）機能や、画像閲覧機能や、デジタルカメラ機能などが搭載されてきている。このような多種多様な機能（コンテンツ）に対応した表示を行うため、表示画面の大型化が要求されている。
【０００３】
また、このような携帯通信端末は、日常生活の中で携帯して使用可能であることが大前提であり、その形状や大きさは必然的に制限されるため、表示画面の大きさや形状も自ずと制約を受ける。特に、携帯電話機のように片手で把持して操作される携帯通信端末では、操作性の点から、縦長の形状を有しその一端側に表示画面が他端側に操作キーがそれぞれ配置されるものが多い。このため、携帯電話機の横幅は、握りやすい寸法に設定され、表示画面の大型化を実現するためには、その形状も縦長形状とならざるを得ない。
【０００４】
ここで、同一の大きさ及び形状を有する表示画面であっても、使用者に対し縦長の状態で表示する場合と横長の状態で表示する場合とでは、その視認性が相違する。例えば、電子メールのように文字や記号からなる文章を等しい大きさの文字でそれぞれ表示する場合、横長の方が縦長に比べて、一行の文字数が多く全体の行数が少なくなるので、改行の際に生じる視線移動の回数が少なくて済み、読みやすい表示となる。また、横長のときの一行の文字数と縦長のときの一行の文字数とが同じになるように表示すると、縦長のときの方が文字を大きく表示することができ、読みやすい表示となる。
【０００５】
また、画像の表示に関しては、視認性向上のため、小型の表示画面において受信した画像に対して適切な大きさの画像を表示する方法が提案されている（例えば、特許文献１参照）。この方法では、予め複数の画像表示モードを用意し、その中の適切なものを表示する。
【０００６】
【特許文献１】
特開２００２−１６９６９号公報
【０００７】
【発明が解決しようとする課題】
しかし、文章を読みやすく表示すべく携帯電話機の縦長の表示画面を横長で使用するためには、携帯電話機全体を横向きとしなければならず、表示画面を見ながらのキー操作が困難となる。
【０００８】
また、携帯電話機を使用してデジタルテレビのような横長の画像を特許文献１の方法で表示すると、画像の縦方向の大きさに合わせた表示モードでは全体の一部分しか表示されず、また画像の横方向の大きさに合わせた表示モードでは全体が表示されるものの大きさが小さいため、いずれの場合であっても画像が見やすく表示されるとは言い難い。このため、横長の画像を見やすく表示するためには、文章の表示の場合と同様に表示画面を横長で使用しなければならず、やはり表示画面を見ながらのキー操作が困難となる。
【０００９】
このように、携帯通信端末全体を横向きとしなければならない横長での表示は、メールの作成やデータの送受信やフォルダへのデータの振り分け等のようなキー操作が煩雑となるため、必ずしも好ましくなかった。
【００１０】
本発明は、このような課題に鑑みてなされたものであり、文字や画像を視認性を損なわずに表示でき、且つ操作性に優れた携帯通信端末を提供することを目的とする。
【００１１】
【課題を解決するための手段】
本発明の第１の態様に係る携帯通信端末は、第１の筐体と、第２の筐体と、表示部と、ヒンジ機構と、角度検出手段と、表示方向設定手段とを備える。表示部は、第１の筐体の表面上に配置される。複数の操作部は、第２の筐体の表面上に配置される。ヒンジ機構は、第１の筐体と第２の筐体とを、閉状態と開状態とに設定可能なように回転自在に連結する。開状態では、表示部が露出すると共に第１の筐体が操作部の少なくとも一部を覆った状態で第１の筐体と第２の筐体とが重なる。閉状態では、第１の筐体と第２の筐体とが閉状態から相互にスライド移動した状態となる。角度検出手段は、第１の筐体と第２の筐体との角度を検出する。表示方向設定手段は、角度検出手段からの情報に応じて表示部における表示方向を設定する。
【００１２】
上記構成では、使用者が第１の筐体と第２の筐体とを相対回転移動させた場合、表示方向設定手段は、第１の筐体と第２の筐体との角度に応じて表示部における表示方向を適宜変更する。例えば、表示部が縦横の長さの異なる矩形状であり、第１の筐体と第２の筐体とを閉状態として使用者が第２の筐体を片手で把持したとき表示部が縦長となり、使用者が第２の筐体を把持したまま閉状態から第１の筐体を略９０°回転移動させたとき表示部が横長となる場合、表示方向設定手段は、第１の筐体を略９０°回転移動したときの表示方向を閉状態での表示方向から略９０°回転させた方向に設定し、略１８０°回転移動した通常の使用状態での表示方向を閉状態での表示方向から略１８０°回転させた方向に設定する。すなわち、表示部には、閉状態及び通常の使用状態では表示部の縦方向を上下とした縦長の表示が行われ、第１の筐体が閉状態から略９０°回転した状態では表示部の横方向を上下とした横長の表示が行われる。従って、使用者は、第２の筐体を把持して第１の筐体を閉状態から略９０°回転移動させることにより、横長の表示を視認することができると共に、第２の筐体の表面上の操作部を通常の使用状態と同様に操作することができる。その結果、メールに代表される文字中心のコンテンツを見やすく表示することができると共に、その見やすい表示のままでメールの編集等の操作を容易に行うことができる。また、デジタルテレビに代表される横長の動画像などを表示する場合にも、表示部の表示面積を有効に活用して大きく表示することができる。
【００１３】
本発明の第２の態様に係る携帯通信端末は、第１の筐体と、第２の筐体と、表示部と、ヒンジ機構と、角度検出手段と、機能割当て手段とを備える。表示部は、第１の筐体の表面上に配置される。複数の操作部は、第２の筐体の表面上に配置される。ヒンジ機構は、第１の筐体と第２の筐体とを、閉状態と開状態とに設定可能なように回転自在に連結する。開状態では、表示部が露出すると共に第１の筐体が操作部の少なくとも一部を覆った状態で第１の筐体と第２の筐体とが重なる。閉状態では、第１の筐体と第２の筐体とが閉状態から相互にスライド移動した状態となる。角度検出手段は、第１の筐体と第２の筐体との角度を検出する。機能割当て手段は、角度検出手段からの情報に応じて操作部に割り当てる機能を設定する。
【００１４】
上記構成では、使用者が第１の筐体と第２の筐体とを相対回転移動させた場合、機能割当て手段は、第１の筐体と第２の筐体との角度に応じて操作部に割り当てる機能を適宜変更する。例えば、第１及び第２の筐体が共に縦横の長さの異なる矩形平板形状であり、通常の使用状態では、使用者は第２の筐体を縦長の状態で片手で把持し第１の筐体を閉状態から略１８０°回転させた状態で縦長の表示部を見ながら操作部を操作し、特定の使用状態では、使用者は第２の筐体を横長の状態で両手で把持して通常の使用状態と同様に縦長の表示部を見ながら操作部を操作する場合、機能割当て手段は、通常の使用状態では第２の筐体の横方向に並ぶ２つ操作部に第１及び第２の機能をそれぞれ割り当て、特定の使用状態では、第２の筐体の縦方向に並ぶ２つの操作部に第１及び第２の機能をそれぞれ割り当てる。すなわち、機能割当て手段は、特定の使用状態での機能の割当てを、通常の使用状態での機能の割当てに対して略９０°回転させた方向に設定する。従って、使用者は、通常の使用状態では、縦長の表示部を見ながら片手で第２の筐体を把持して操作部を操作することができ、ゲームを行う等の特定の使用状態では、通常の場合と同じ方向に表示される表示部を見ながら第２の筐体を両手で把持して両手の指を使用して操作部を操作することができる。
【００１５】
本発明の第３の態様に係る携帯端末装置は、上記第１及び第２の態様の第１の筐体と第２の筐体と表示部と操作部とヒンジ機構と角度検出手段とに加えて、表示部における表示方向及び操作部に割り当てる機能の少なくとも一方を設定する制御手段を備えている。
【００１６】
上記構成では、使用者は、第１の表示部と第２の表示部との角度に応じて表示部における表示方向を設定するか操作部に割り当てる機能を設定するかを選択することができる。
【００１７】
上記第３の態様は、表示優先モードと機能優先モードとを選択的に設定するモード設定手段をさらに備えても良い。この場合、制御手段は、表示優先モードが設定されているときは、角度検出手段からの情報に応じて表示部における表示方向を優先的に設定し、機能優先モードが設定されているときは、角度検出手段からの情報に応じて操作部に割り当てる機能を優先的に設定する。
【００１８】
上記構成では、使用者が表示優先モードと機能優先モードのうちの一方を選択することにより、表示方向の変更又は機能の割当ての変更を簡単に行うことができる。
【００１９】
上記第１〜第３の態様に係る携帯通信端末は、近距離無線通信によってデータの送信又は受信の少なくとも一方を外部との間で直接行う近距離通信手段をさらに備えても良い。
【００２０】
上記構成では、外部との間でのデータの送信又は受信を簡単に行うことができる。
【００２１】
【発明の実施の形態】
以下、本発明の実施形態について、図面を参照しながら詳細に説明する。
【００２２】
本実施形態に係る携帯電話機（携帯通信端末）１は、いわゆるジャックナイフ型であり、図１から図５に示すように、第１の筐体５と、第２の筐体３と、液晶画面で構成された表示部４と、操作キーで構成された複数の操作部２と、ヒンジ機構６とを備えている。第１の筐体５と第２の筐体３とは、共に縦横の長さが相違する略矩形板形状でほぼ等しい大きさを有している。
【００２３】
表示部４は、第１の筐体５の表面上に配置され、第１の筐体５と同様に縦横の長さが相違する略矩形状平面を有する。操作部２は、第２の筐体３の表面上に配置されている。各操作部２には、それぞれ所定の機能が割り当てられており、発信操作や着信操作やメールの作成などの際に、使用者からの入力手段として用いられる。
【００２４】
ヒンジ機構６は、第１の筐体５と第２の筐体３とを、閉状態（図３に示す）と開状態（図１、図２、図４及び図５に示す）とに設定可能なように回転自在に連結する。開状態では、表示部４が露出すると共に第１の筐体５が操作部２を覆った状態で第１の筐体５と第２の筐体２とが重なり、第１の筐体５の裏面が第２の筐体２の表面の直ぐ上方を完全に覆う。閉状態では、第１の筐体５と第２の筐体２とが閉状態から相互にスライド移動した状態（第１の筐体５の裏面と第２の筐体２の表面とが略同一平面内で回転移動した状態）となる。
【００２５】
第１の筐体５の表示部４は、閉状態及び開状態の何れであっても常に見えるように配置されている。したがって、この携帯電話機１では、閉状態でも着信したメールの内容やアドレス帳など見ることができる。
【００２６】
図６及び図７に示すように、ヒンジ機構６は、第１の筐体５に固定される第１の回転支持部材７と、第２の筐体３に固定される第２の回転支持部材８と、第１の回転支持部材７と第２の回転支持部材８との間に配置される弾性部材としてのコイルバネ９とを備える。
【００２７】
第２の回転支持部材８は、コイルバネ９をその外周面でガイドする円筒形状のバネガイド部１２と、このバネガイド部１２の下端に一体的に形成されたフランジ部１３と、後述する第１の回転支持部材７の一部分を嵌合させる回転中心孔１４とを有している。
【００２８】
バネガイド部１２の上端面には、第１の回転支持部材７に形成された位置決め突起１９（図９に示す）を嵌合させるための位置決め凹部２２が所定位置に複数形成されている。フランジ部１３には、第２の回転支持部材８を第２の筐体３に固定するための一対の取付片２５が一体化されている。この取付片２５には、ネジによってこの第２の回転支持部材８を第２の筐体３に固定するためのネジ孔２６が形成されている。
【００２９】
フランジ部１３には、図１０に示すように、後述するコイルバネ９の一端部を固定するための貫通孔２３と引掛け溝２４が形成されている。貫通孔２３は、外周縁からやや中心寄りの位置にフランジ部１３の厚み方向に貫通して形成されている。引掛け溝２４は、貫通孔２３と連通するようにフランジ部１３の裏面（コイルバネ９を装着させる面とは反対側の面）に形成されている。
【００３０】
第１の回転支持部材７は、図９に示すように、第２の回転支持部材８に形成された回転中心孔１４に嵌合する嵌合凸部１０と、嵌合凸部１０の上端に一体化されたフランジ部１１とを有している。
【００３１】
嵌合凸部１０は、回転中心孔１４に嵌合して第２の回転支持部材８に対する回転軸として機能する。嵌合凸部１０の先端１０ａは、回転中心孔１４と嵌合する際に嵌り易くするためにＲ面形状とされている。嵌合凸部１０の中心には、第２の筐体３の内部に設けられた電子部品と第１の筐体５の内部に設けられた電子部品とを電気的に接続するためのケーブル１５を挿通させるケーブル挿通孔１０ｂが形成されている。
【００３２】
フランジ部１１には、図６及び図７に示すように、コイルバネ９の他端部を臨ませるための円弧状溝１６が形成されている。円弧状溝１６は、フランジ部１１の上下方向に貫通し、例えば中心角で約２２０°の範囲に亘って形成されている。円弧状溝１６の内部には、コイルバネ９の他端部をガイドするガイド部１７が形成されている。ガイド部１７は、円弧状溝１６の一端から他端に亘って連続した段差面として形成されており、円弧状溝１６内に突出している。円弧状溝１６とガイド部１７とによって形成された空間１８に、後述するコイルバネ９の他端部が臨む。
【００３３】
フランジ部１１には、図９及び図１０に示すように、第２の筐体３と第１の筐体５とを閉状態又は所定の開状態（開状態は、少なくとも第２の筐体３と第１の筐体５のなす角度が約９０°及び約１８０°となる状態を含む）に保持（ロック）させるための位置決め突起１９が形成されている。位置決め突起１９は、第２の回転支持部材８に形成されたそれぞれの位置決め凹部２２と対応した位置に形成されており、位置決め凹部２２に嵌合することで第２の筐体３と第１の筐体５との位置関係を保持（ロック）する。
【００３４】
フランジ部１１には、第１の回転支持部材７を第１の筐体５に固定するための一対の取付片２０が一体化されている。取付片２０には、ネジによってこの第１の回転支持部材７を第１の筐体５に固定するためのネジ孔２１が形成されている。
【００３５】
コイルバネ９は、図７に示すように、バネガイド部１２の外径より一回り大きな径に巻回されたコイル部２７と、コイル部２７の一端と他端にそれぞれ形成された作用部２８、２９とを有している。コイル部２７は、例えば一回りと１／４巻き分だけ巻回されており、バネガイド部１２の外周に装着される。作用部２８、２９は、コイル部２７に対して下方又は上方に折り曲げられて形成され、さらにその先端が外側へ向くように折り曲げられることによりその先端に折曲部２８ａ、２９ａを有している。
【００３６】
一方の作用部２９は、図１０に示すように、第２の回転支持部材８に形成された貫通孔２３に挿入され、その先端の折曲部２９ａが引掛け溝２４に係止している。これにより、コイルバネ９の一端が第２の回転支持部材８に固定される。他方の作用部２８は、図９に示すように、第１の回転支持部材７に形成された円弧状溝１６に挿入され、その先端の折曲部３がガイド部１７上に載っている。このため、第２の回転支持部材８と第１の回転支持部材７は、コイルバネ９によって互いに密着する方向に付勢され、その嵌合状態を維持して離脱しないようになっている。
【００３７】
このように構成されたヒンジ機構６によれば、図３の閉状態（第２の筐体３と第１の筐体５のなす角度が０°の状態）から図５の開状態（第２の筐体３と第１の筐体５のなす角度が１８０°の状態）の間は、他方の作用部２８及び折曲部２８ａが円弧状溝１６内を移動するため、コイルバネ９に何ら負荷が掛かることなく第２の筐体３と第１の筐体５とがスムーズに相対的に回転する。
【００３８】
また、閉状態と所定の開状態（少なくとも第２の筐体３と第１の筐体５のなす角度が約９０°及び約１８０°となる状態を含む）では、第２の回転支持部材８に形成された位置決め凹部２２に第１の回転支持部材７に形成された位置決め突起１９が嵌合してそれぞれの状態がロックされる。
【００３９】
このように構成されたジャックナイフ型の携帯電話機１は、閉状態と開状態の何れの状態でも、発信操作、着信操作及び通話、メール又は電話帳の閲覧などの動作を行うことができる。
【００４０】
図１３に示すように、携帯電話機１は、上記構成に加えて、制御部（表示方向設定手段、機能割当て手段、制御手段、モード設定手段）４０と、角度検出手段４１と、近距離通信手段４２とを備えている。
【００４１】
角度検出手段４１は、第１の筐体５と第２の筐体３となす角度（図４及び図５に示すように、閉状態に対する第１の筐体５と第２の筐体３との相対回転角度）θを検出して、その情報を制御部４０へ出力する。
【００４２】
通常の使用状態では、図５に示すように、第１の筐体５と第２の筐体３とは、相対回転角度θが約１８０°となる開状態に設定され、使用者は、表示部４が上に位置し操作部２が下に位置するように第２の筐体３を片手で把持し、表示部４を見ながら操作部２へのキー入力を行う。
【００４３】
制御部４０は、使用者から操作部２への所定のモード設定操作を受けて、表示優先モード又は機能優先モードの何れかのモードに設定すると共に、角度検出手段４１からの情報と設定されたモードとに基づき、表示部４における表示方向及び操作部２に割り当てる機能を設定する。
【００４４】
具体的には、図５に示すように相対回転角度θが約１８０°の開状態となる通常の使用状態では、縦長の状態の表示部４にヒンジ機構６を下方とするような表示（縦長の表示）がなされ、各操作部２には通常の機能が割り当てられる。また、図３に示すように相対回転角度θが約０°の閉状態となる待ち受け状態では、縦長の状態の表示部４にヒンジ機構６を上方とするような表示（縦長の表示）がなされる。なお、待ち受け状態では操作部２が露出していないが、各操作部２には初期状態として通常の機能が割り当てられる。
【００４５】
表示優先モードが設定されており相対回転角度θが約９０°であるときは、図１に示すように、表示部４は縦長の表示に対して約９０°回転させた状態（横長の表示）に設定され、各操作部２には通常の機能が割り当てられる。
【００４６】
機能優先モードが設定されており相対回転角度θが約９０°であるときは、図２に示すように、表示部４は通常の使用状態と同様の縦長の表示に設定され、各操作部２の機能は、その配列が通常の状態に対して略９０°回転した方向に並ぶように設定される。例えば、「１」〜「９」の数字が付された操作部２について説明すると、数字「１」が付された操作部２に通常設定される機能は数字「７」が付された操作部２に、数字「２」が付された操作部２に通常設定される機能は数字「４」が付された操作部２に、数字「３」が付された操作部２に通常設定される機能は数字「１」が付された操作部２に、数字「４」が付された操作部２に通常設定される機能は数字「８」が付された操作部２に、数字「６」が付された操作部２に通常設定される機能は数字「２」が付された操作部２に、数字「７」が付された操作部２に通常設定される機能は数字「９」が付された操作部２に、数字「８」が付された操作部２に通常設定される機能は数字「６」が付された操作部２に、数字「９」が付された操作部２に通常設定される機能は数字「３」が付された操作部２に、それぞれ変更されて設定される。なお、この場合、数字「５」が付された操作部２への機能の割当ては変更されない。また、各操作部２にアルファベットが割り当てられている場合には、数字と同様に変更される。
【００４７】
近距離通信手段４２は、赤外線やブルートゥース（Ｂｌｕｒｔｏｏｔｈ：商標）などの近距離無線通信によってデータの送受信を外部との間で直接行う。これにより、例えば、他の携帯通信端末と直接データの送受信を行うことが可能となり、携帯通信端末を用いていわゆる名刺交換などを行うことができる。また、ゲーム機本体や他のコントローラとの間でデータの送受信を行うことにより、携帯通信端末をゲームのコントローラとして使用することができる。
【００４８】
また、特に図示していないが、携帯電話機１は、基地局との間で通常の高周波送受信を行う無線部や、デジタル音声信号のエンコードやデジタル音声信号へのデコードなどを行うデータ処理部をも備えている。
【００４９】
図１４に示すフローチャートを参照して、本実施形態の作用を説明する。
【００５０】
図１４に示す制御は、携帯電話機１をＯＮ状態とすることによってスタートし、ステップＳ１へ進む。ステップＳ１では、角度検出手段４１は第２の筐体３と第１の筐体５のなす角度（相対回転角度）θを検出し、制御部４０は相対回転角度θが９０°であるかどうかを判断する。
【００５１】
ステップＳ１で相対回転角度が９０°であると判断された場合には、ステップＳ２へ進む。ステップＳ２では、所定時間経過するまで待機し、所定時間経過後にステップＳ３へ進み、再度相対回転角度θを検出し、これが９０°であるかどうかを判断する。このように所定時間おいてから再度検出及び判断を行うのは、第１の筐体５と第２の筐体３とが相対回転移動の途中ではなく、９０°の位置に設定されていることを確実に判別するためである。
【００５２】
ステップＳ３で相対回転角度が９０°であると再度判断された場合には、第１の筐体５と第２の筐体３は、相対回転角度θが９０°となる開状態に設定されているため、制御部４０は、表示優先モードが設定されているときは、図１に示すように、表示部４を横長の表示に設定すると共に、各操作部２に通常の機能を割り当てる。また、機能優先モードが設定されているときは、図２に示すように、表示部４を縦長の表示に設定すると共に、各操作部２の機能の配列を、通常の状態に対して略９０°回転した方向に並ぶように設定する。
【００５３】
このように、本実施形態によれば、表示優先モードのときに相対回転角度θが９０°となる開状態に設定すると、図１に示すように、表示部４には横長の表示がなされ、各操作部２には通常の機能が割り当てられる。このため、使用者は、第２の筐体３を片手で把持して表示部４の横長の表示を視認しながら、操作部２を通常の使用状態と同様に操作することができる。従って、メールに代表される文字中心のコンテンツを改行の少ない見やすい状態で表示することができると共に、その見やすい表示のままでメールの編集等の操作を容易に行うことができる。また、デジタルテレビに代表される横長の動画像などを表示する場合にも、表示部４の表示面積を有効に活用して大きく表示することができる。
【００５４】
一方、機能優先モードのときに相対回転角度θが９０°となる開状態に設定すると、図２に示すように、表示部４には通常と同様の縦長の表示がなされ、各操作部２の機能は、通常の状態に対して略９０°回転した方向に並ぶように配列される。このため、使用者は、通常と同じ状態で表示される表示部４を見ながら第２の筐体３を両手で把持して両手の指を使用して通常の状態と同様の配列で機能が割り当てられた操作部２を操作することができる。例えば、携帯電話機１でゲームを行う場合、図２に示すような状態で携帯電話機１を使用することにより、家庭用のゲーム機専用のコントローラと同様の感覚で操作部２を操作することができ、快適にゲームを楽しむことができる。また、ゲームの制作者にとっても、家庭用のゲームを携帯端末用として転用する際に、専用のコントローラを操作する場合と同様の操作が可能であるため、操作に関する特別な変更を必要とせず、制作工程の省略が可能となる。さらに、文字の編集をする場合、いわゆるスティック型の携帯端末や折り畳み型の携帯端末では、両手を使用した編集には不向きであってが、図２に示すような状態で携帯電話機１を使用することにより、容易に両手を使用して文章の作成や編集作業を行うことができ、作業の効率化及び高速化を図ることができる。
【００５５】
また、使用者が表示優先モードと機能優先モードのうちの一方を選択することにより、表示方向の変更又は機能の割当ての変更を簡単に行うことができる。
【００５６】
図１５は、本実施形態の制御の変形例を示すフローチャートである。
【００５７】
図１５に示すように、この変形例では、図１４のステップＳ４の後に、ステップＳ５の処理が設けられている。ステップＳ５では、制御部４０がアプリケーションソフトの起動又は選択を行う。例えば、表示部４に待ち受け画面が表示された状態（特定のアプリケーションソフトが起動していない状態）で、相対回転角度θが９０°となる開状態に設定されたときは、アプリケーションソフトの選択画面が表示され、使用者からの入力に従って所定のアプリケーションが起動するか、又は特定のアプリケーションソフトが強制的に起動する。
【００５８】
なお、上記実施形態では、携帯電話機１を例に挙げて説明したが、音声通信機能を持つＰＤＡ（Ｐｅｒｓｏｎａｌ　Ｄｉｇｉｔａｌ　Ａｓｓｉｓｔａｎｔ）などの携帯通信端末に本発明を適用しても同様の作用効果を得ることができる。
【００５９】
【発明の効果】
本発明によれば、表示部及び操作部を有効に活用することができるので、視認性を損なわずに文字や画像の表示が可能で操作性にも優れた携帯端末を得ることができる。
【図面の簡単な説明】
【図１】本実施形態の携帯電話機を表示優先モードで約９０°開いた状態を模式的に示す平面図である。
【図２】図１の携帯電話機を機能優先モードで約９０°開いた状態を模式的に示す平面図である。
【図３】図１の携帯電話機の閉状態を示す斜視図である。
【図４】図１の携帯電話機の開状態を示す斜視図である。
【図５】図１の携帯電話機の通常の使用状態を示す斜視図である。
【図６】図１のヒンジ機構の斜視図である。
【図７】図６のヒンジ機構の分解斜視図である。
【図８】通常の使用状態における図６のヒンジ機構のコイルバネの状態を示す要部拡大平面図である。
【図９】開状態における図６のヒンジ機構の断面図である。
【図１０】閉状態における図６のヒンジ機構の断面図である。
【図１１】閉状態における図６のヒンジ機構のコイルバネの状態を示す要部拡大平面図である。
【図１２】開状態における図６のヒンジ機構のコイルバネの状態を示す要部拡大平面図である。
【図１３】図１の携帯電話機のブロック構成図である。
【図１４】本実施形態の制御を示すフローチャートである。
【図１５】本実施形態の変形例の制御を示すフローチャートである。
【符号の説明】
１…携帯電話機
２…操作部
３…第２の筐体
４…表示部
５…第１の筐体
６…ヒンジ機構
４０…制御部（表示方向設定手段、機能割当て手段、制御手段、モード設定手段）
４１…角度検出手段
４２…近距離通信手段
【図１】
2004135118.tif 000003
【図２】
2004135118.tif 000004
【図３】
2004135118.tif 000005
【図４】
2004135118.tif 000006
【図５】
2004135118.tif 000007
【図６】
2004135118.tif 000008
【図７】
2004135118.tif 000009
【図８】
2004135118.tif 000010
【図９】
2004135118.tif 000011
【図１０】
2004135118.tif 000012
【図１１】
2004135118.tif 000013
【図１２】
2004135118.tif 000014
【図１３】
2004135118.tif 000015
【図１４】
2004135118.tif 000016
【図１５】
2004135118.tif 000017